(57)【要約】【課題】前扉の生産コストの低減を図ることが可能な遊技機を提供する。【解決手段】スロットマシン１は、複数のリールを内部に収納する筐体に支持されて、上部よりも下部が前方となる傾斜面に沿って筐体の前面側に形成された開口を閉じる前面扉を備える。前面扉は、筐体の開口が閉じられている状態で傾斜面に対向する合わせ面ＤＤａと、合わせ面ＤＤａと直交する方向に延びる円筒状のシリンダ錠ＣＹが挿入され、合わせ面ＤＤａと直交する方向に形成されたシリンダ用貫通孔ＤＢｃと、を有する。【選択図】図５
2020195553.tif 000002
【特許請求の範囲】
【請求項１】
複数のリールと、
上部よりも下部が前方となる傾斜面に沿って前面側に形成された開口を有し、前記複数のリールを内部に収容する筐体と、
開閉可能に前記筐体に支持されて、前記開口が閉じられている状態で前記傾斜面に対向する合わせ面を有する前扉と、
前記合わせ面と直交する方向に延びる円筒状のシリンダ錠と、を備え、
前記前扉は、前記合わせ面と直交する方向に形成され、前記シリンダ錠が挿入されたシリンダ用貫通孔を有する、
ことを特徴とする遊技機。
【請求項２】
前記前扉は、前記シリンダ用貫通孔の前端側の開口の周囲に、前記合わせ面と平行に形成されたシリンダ周囲面を有する、
ことを特徴とする請求項１に記載の遊技機。
【請求項３】
傾動操作が可能なスタートレバーと、前記スタートレバーを保持する保持部と、を有するスタートレバーユニットを備え、
前記前扉は、前記合わせ面と直交する方向に形成され、前記スタートレバーユニットが挿入されたレバー用貫通孔を有する、
ことを特徴とする請求項１又は２に記載の遊技機。
【請求項４】
前記前扉は、前記レバー用貫通孔の前端側の開口の周囲に、前記合わせ面と平行に形成されたレバー周囲面を有する、
ことを特徴とする請求項３に記載の遊技機。
【請求項５】
ストップボタンを備え、
前記前扉は、前記合わせ面と直交する方向に形成され、前記ストップボタンの移動を案内するボタンガイド穴を有する、
ことを特徴とする請求項１乃至４のいずれか１項に記載の遊技機。
【請求項６】
前記前扉は、前記ボタンガイド穴の前端側の開口の周囲に、前記合わせ面と平行に形成されたボタン周囲面を有する、
ことを特徴とする請求項５に記載の遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者によるスタートレバーに対する回転開始操作を契機として、内部抽選を行うとともに複数のリールの回転を開始させ、遊技者によるストップボタンに対する停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【０００３】
この種の遊技機においては、上部よりも下部が前方となる傾斜面に沿って前面側に形成された開口を有する筐体（キャビネット）と、筐体の開口を開閉可能に支持された前扉（前面扉）と、を備えている構成が開示されている（特許文献１参照）。特許文献１に記載の遊技機は、前扉に施錠装置、スタートレバー、ベットボタン、停止ボタン等が設けられている。
【先行技術文献】
【特許文献】
【０００４】
【特許文献１】特開２０１９−１３７９５号公報
【発明の概要】
【発明が解決しようとする課題】
【０００５】
一般に、この種の遊技機の前扉は、防犯性を確保するため、できるだけ継ぎ目が少なくなるように大型の金型を用いて生産される。このため、前扉は生産コストが大きくなりやすく、生産コストの低減が求められている。
【０００６】
そこで、本発明は、前扉の生産コストの低減を図ることが可能な遊技機を提供することを目的とするものである。
【課題を解決するための手段】
【０００７】
本発明は、複数のリールと、
上部よりも下部が前方となる傾斜面に沿って前面側に形成された開口を有し、前記複数のリールを内部に収容する筐体と、
開閉可能に前記筐体に支持されて、前記開口が閉じられている状態で前記傾斜面に対向する合わせ面を有する前扉と、
前記合わせ面と直交する方向に延びる円筒状のシリンダ錠と、を備え、
前記前扉は、前記合わせ面と直交する方向に形成され、前記シリンダ錠が挿入されたシリンダ用貫通孔を有する、ことを特徴とする。
【発明の効果】
【０００８】
本発明によると、前扉の生産コストの低減を図ることが可能となる。
【図面の簡単な説明】
【０００９】
【図１】本実施形態に係る遊技機の外観構成を示す正面図である。
【図２】本実施形態に係る遊技機の外観構成を示す側面図である。
【図３】本実施形態に係る遊技機の前面扉の構成を示す背面図である。
【図４】本実施形態に係る遊技機の筐体の内部の構成を示す正面図である。
【図５】本実施形態に係る遊技機のシリンダ錠を示す図３のＥ−Ｅ断面図である。
【図６】本実施形態に係る遊技機のストップボタンユニットを示す図１のＣ−Ｃ断面図である。
【図７】本実施形態に係る遊技機のストップボタンユニットを示す図２のＤ−Ｄ断面図である。
【図８】本実施形態に係る遊技機のストップボタンユニットを示す分解図である。
【図９】本実施形態に係る遊技機のスタートレバーユニットを示す図１のＡ−Ａ断面図である。
【図１０】本実施形態に係る遊技機のスタートレバーユニットの取付構造を示す図１のＢ−Ｂ断面図である。
【発明を実施するための形態】
【００１０】
以下、本発明に係る実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。また、以下の記載において、「平行」及び「直交」との説明があるが、これらを寸法誤差（設計誤差、製造誤差）等により厳密に「平行」及び「直交」とすることは現実的には困難であり、「平行」及び「直交」には、それぞれ「略平行」及び「略直交」であるものを含むものとする。
【００１１】
［遊技機の構成の概要］
図１は、本実施形態のスロットマシン１の外観構成を示す正面図、図２は、スロットマシン１の外観構成を示す側面図である。本実施形態のスロットマシン１は、いわゆる回胴式遊技機と呼ばれるもので、メダルを遊技媒体として用いた遊技を行う種類の遊技機である。なお、以下において、遊技者の方（手前）を「前方」、反対を「後方」と記載する。また、図１の正面図を基準に遊技機の上下左右を規定する。
【００１２】
本実施形態のスロットマシン１は、遊技者に対向する側である前面側（前方側）に開口ＢＸａ（図４参照）が形成された箱形の筐体ＢＸ、開閉可能に左方側が筐体ＢＸに軸支された前扉としての前面扉ＦＤを備えており、筐体ＢＸ内に左右方向に並べて配置された複数のリールとしての第１リールＲ１〜第３リールＲ３を有するリールユニット３１０が収められている。筐体ＢＸの開口ＢＸａは、上部よりも下部が前方となる傾斜面Ｓ１に沿って形成されている。筐体ＢＸは、スロットマシン１が遊技場に設置される際、遊技場の床面に当接する下面ＢＸｂを有している。なお、下面ＢＸｂは平面状に形成されているものに限定されない。下面ＢＸｂは、遊技場の床面と当接することによってスロットマシン１が安定して載置されるように形成されていればよく、例えば、複数の凹凸を有していてもよい。筐体ＢＸの開口ＢＸａは、傾斜面Ｓ１に沿って形成されているため、前面扉ＦＤの開放時に前方側に倒れようとする力を緩和している。また、筐体ＢＸ内のリールユニット３１０の下部には、メダルの払出装置としてのホッパーユニット３２０（図４参照）が収められている。また、本実施形態のスロットマシン１の筐体ＢＸ内には、ＣＰＵ、ＲＯＭ（情報記憶媒体の一例）、ＲＡＭ等を搭載し、スロットマシン１の動作を制御する制御基板１０（図４参照）も収められている。
【００１３】
最も左方側に配置された第１リールＲ１、第１リールＲ１の右方側に配置された第２リールＲ２及び第２リールＲ２の右方側に配置された第３リールＲ３は、それぞれ外周面が一定の間隔で２０の領域（以下、各領域を「コマ」と記載する）に区画されており、各コマに複数種類の図柄のいずれかが配列されている。また、第１リールＲ１〜第３リールＲ３は、リール駆動手段としてのステッピングモータＭ（図４参照）に軸支されており、それぞれステッピングモータＭの軸周りに回転駆動され、ステッピングモータＭの駆動パルスのパルス数やパルス幅などを制御することによって、コマ単位（所定の回転角度単位、所定の回転量単位）で停止可能に設けられている。
【００１４】
前面扉ＦＤは、それぞれ個別に開閉可能で、開口ＢＸａの上半部を閉じることが可能な前面上扉ＵＤと、開口ＢＸａの下半部を閉じることが可能な前面下扉ＤＤと、に分割部ＤＶにおいて上下に分割して構成されている。前面上扉ＵＤには、第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。
【００１５】
また、本実施形態のスロットマシン１では、表示窓ＤＷを通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数がいずれの遊技状態においても３枚に設定されており、規定投入数に相当するメダルが投入されると第１リールＲ１〜第３リールＲ３の中段によって構成される有効ラインＬ１が有効化される。
【００１６】
そして、遊技結果は、表示窓ＤＷ内の有効ラインＬ１上に停止表示された図柄組合せによって判定され、有効ラインＬ１上の図柄組合せが予め定められた役に対応した図柄組合せである場合に、その役が入賞したものとしてホッパーユニット３２０からメダルの払い出し等が行われる。
【００１７】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００１８】
遊技情報表示部ＤＳには、７セグメント表示器から構成される主制御表示装置５００が含まれており、規定投入数のメダルが投入されスタートレバーＳＬが傾動操作された際に、今回の遊技で当選した役の情報である当選情報に基づき作成される制御信号である当選コマンドに対応する表示である報知表示が表示され、報知表示の表示後第１リールＲ１〜第３リールＲ３が停止した際に、報知表示が終了するとともにメダルの払出数あるいは獲得数が表示される。本実施形態のスロットマシン１では、当選コマンドに応じた表示態様で主制御表示装置５００の各セグメントが点灯及び消灯する報知表示が実行される。
【００１９】
また、主制御表示装置５００には、７セグメント表示器のドットであり、図示しない有利期間制御手段によって有利期間が開始されている場合に点灯し、有利期間が開始されていない、つまり非有利期間が開始されている場合に消灯することで有利期間が開始されているか否かを報知する有利期間報知部５００Ａが設けられている。
【００２０】
また、スロットマシン１には、遊技を補助したり、遊技を盛り上げたりする、遊技に関する演出を実行可能な演出装置３００が設けられている。演出装置３００には、前面上扉ＵＤに設けられている、表示装置３３０、可動役物装置３５０、及び複数の電飾装置３６０、前面下扉に設けられている複数の電飾装置３７０が含まれる。表示装置３３０は、例えば液晶ディスプレイから構成され、遊技の進行に応じて各種の映像や画像を表示する演出を実行する。可動役物装置３５０は、例えば、表示装置３３０の前方に配置されており、遊技の進行に応じてモータやソレノイド等の駆動手段により移動し、表示装置３３０の画面を遮蔽させたり露出させたりする演出を実行する。電飾装置３６０，３７０は、遊技の進行に応じて発光する演出を実行する。また、演出装置３００には、前面上扉ＵＤ及び前面下扉ＤＤに設けられている、複数の音響装置３８０，３９０を含む。音響装置３８０，３９０は、遊技の進行に応じて各種の音声を出力する演出を実行する。
【００２１】
前面下扉ＤＤは、正面視において前面下扉ＤＤと略同サイズで、電飾装置３７０、音響装置３９０、メダル受け皿ＭＰ等が取付けられる合成樹脂製の下扉ベースＤＢを有している。下扉ベースＤＢには、各種の操作手段が取付けられている操作部ＣＰが一体的に形成されている。操作部ＣＰは、上方を向いた操作部上面ＣＰａと、前方を向いた操作部前面ＣＰｂと、を有している。操作部上面ＣＰａには、遊技者が１枚ずつメダルを投入するためのメダル投入口ＭＩ、及びメダルがクレジット（貯留）されている状態で、クレジットされたメダルのうちから一度の操作によって規定投入数のメダルを投入する投入操作を受付ける投入操作手段としてのマックスベットボタンＭＢ（ベットボタン）が取付けられている。
【００２２】
操作部前面ＣＰｂには、投入操作手段としてのシングルベットボタンＢＴ、開始操作手段としてのスタートレバーＳＬを有するスタートレバーユニットＬＵ、停止操作手段としての複数のストップボタンであるストップボタンＢ１〜ストップボタンＢ３を有するストップボタンユニットＢＵ、ストップボタンユニットＢＵの前面側を覆うボタンカバーＢＣ及びクレジットされたメダルを清算するための清算ボタンＢＳが取付けられている。シングルベットボタンＢＴは、メダルがクレジットされている状態で、クレジットされたメダルのうちから１枚のメダルを投入する投入操作を受付ける。スタートレバーＳＬは、第１リールＲ１〜第３リールＲ３を回転させる契機となる開始操作を受付ける。ストップボタンＢ１〜ストップボタンＢ３は、ステッピングモータＭ（図４参照）により回転駆動されている第１リールＲ１〜第３リールＲ３のそれぞれを停止させる契機となる停止操作を受付ける。クレジットされているメダルは、貯留手段としての制御基板１０に記憶（貯留）されている。
【００２３】
本実施形態のスロットマシン１では、遊技者がメダルをメダル投入口ＭＩに投入するか、メダルが規定投入数以上にクレジットされている場合に、規定投入数と同じ回数シングルベットボタンＢＴを後方に向けて押下するシングルベット操作（投入操作）又はマックスベットボタンＭＢを下方に向けて押下するマックスベット操作（投入操作）を行うことで、規定投入数のメダルが投入状態に設定され、第１リールＲ１〜第３リールＲ３の回転制御を開始することが可能な準備状態にセットされる。そして、遊技者がスタートレバーＳＬに対してスタートレバーＳＬを初期位置から傾動させる開始操作（傾動操作）を実行すると、制御基板１０において第１リールＲ１〜第３リールＲ３をステッピングモータＭの駆動により回転開始させるとともに、乱数を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２４】
なお、本実施形態のスロットマシン１は、第１リールＲ１〜第３リールＲ３を回転開始させた場合に、ウェイト（又はウェイト時間）と称される待機時間（約４．１秒）を設定するように構成されている。そして、スロットマシン１は、待機時間の設定から待機時間が経過するまでの期間内に再び開始操作が行われた場合に、待機時間が経過した後に第１リールＲ１〜第３リールＲ３を回転開始させるように構成されている。
【００２５】
その後、遊技者が任意のタイミングでストップボタンＢ１〜ストップボタンＢ３を後方に向けて押下（以下、「押下タイミング」と記載）していくと、ストップボタンＢ１〜ストップボタンＢ３のそれぞれに内蔵されている停止信号出力手段としてのストップスイッチ３５（図８参照）がＯＮ動作を行い、制御基板１０へ出力するリール停止信号をＯＦＦ状態からＯＮ状態へ変化させる。
【００２６】
また、遊技者が任意のタイミングで押下状態にあるストップボタンＢ１〜ストップボタンＢ３を解放すると、ストップボタンＢ１〜ストップボタンＢ３それぞれに対応するストップスイッチがＯＦＦ動作を行い、制御基板１０へ出力するリール停止信号をＯＮ状態からＯＦＦ状態に変化させる。そして、制御基板１０は、ストップボタンＢ１〜ストップボタンＢ３の押下タイミング及び解放タイミングに応じて信号状態が変化するリール停止信号のＯＦＦ状態からＯＮ状態への変化に基づいて、内部抽選の結果に応じた停止位置で第１リールＲ１〜第３リールＲ３を停止させる。
【００２７】
また、前面下扉ＤＤの下部の下皿前面５１には、メダル払出口ＭＯとメダル受け皿ＭＰとが設けられており、遊技の結果に応じた枚数のメダルがメダル払出口ＭＯからメダル受け皿ＭＰへ払い出されるようになっている。また、制御基板１０にクレジットされたメダルが記憶されている状態で、清算ボタンＢＳが後方に向けて押下された場合、清算ボタンＢＳの押下に伴って清算ボタンＢＳに内蔵されているメダル清算スイッチ（不図示）がＯＮ動作を行い、制御基板１０へ出力するメダル清算信号をＯＦＦ状態からＯＮ状態へ変化させる。制御基板１０は、メダル清算信号のＯＦＦ状態からＯＮ状態への変化に伴って、第１リールＲ１〜第３リールＲ３が回転しておらずかつメダルがベットされていない状態に限り、ホッパーユニット３２０からクレジット数（クレジットされたメダルの枚数）に相当する枚数のメダルを払い出す清算処理を実行し、メダル払出口ＭＯからメダル受け皿ＭＰへメダルを払い出す。
【００２８】
下皿前面５１のメダル払出口ＭＯの左右には、証紙類（公的機関による試験の適合を証する証紙、特許権等の実施許諾を証する証紙、各遊技機の個別情報（機種情報や製造情報）を符号や数字等で記録した識別ラベル、銘板など）を配置するための証紙類配置部５２Ｌ、５２Ｒがそれぞれ配置されている。証紙類配置部５２Ｌ、５２Ｒは、例えば、証紙類を収容する凹部とそれを覆う透明カバーなどから構成することができる。あるいは、証紙類配置部５２Ｌ、５２Ｒは単に証紙類（証紙や銘板など）を貼付や接着するための平面部であってもよい。下皿前面５１の後方かつ証紙類配置部５２Ｌ、５２Ｒの左右外側には、上記の音響装置３９０，３９０が配置されており、音響装置３９０，３９０の前方の下皿前面５１には、音響装置３９０，３９０からの音を前方に出力するための多数の開口からなる開口部５３，５３が配置されている。
【００２９】
下皿前面５１は、後述する前面下扉ＤＤの傾斜面Ｓ１に対向する合わせ面ＤＤａと平行となるように形成されており、メダル払出口ＭＯの開口の前端縁ＭＯａも、合わせ面ＤＤａと平行となるように形成されている。また、開口部５３，５３は、合わせ面ＤＤａと直交するように形成されている。これにより、前面下扉ＤＤの形状の簡略化を図り、生産コストの低減を図ることを可能としている。なお、開口部の開口は、射出成型において合わせ面ＤＤａと直交する方向に型抜き可能な形状であればよく、例えば内面に０〜１０°程度の抜き勾配が形成されていてもよいし、各孔の抜き勾配は１つの孔において一定でなくてもよい。また、証紙類配置部５２Ｌ，５２Ｒの証紙類を貼付ける平面部は、合わせ面ＤＤａと平行となるように形成されている。即ち、証紙類配置部５２Ｌ，５２Ｒに配置された証紙類は、上部よりも下部が前方となるように傾斜する。これにより、作業者や遊技者等が証紙類の情報を目視により確認する際、証紙類配置部５２Ｌ，５２Ｒよりも上方から証紙類を視認しやすくなり、証紙類の確認作業における作業性の向上を図っている。
【００３０】
［前面上扉及び前面下扉の開閉に係る構成］
次に、前面扉ＦＤの開閉に係る構成について説明をする。図２及び図３に示すように、前面扉ＦＤは、前面上扉ＵＤ及び前面下扉ＤＤのそれぞれの左方側に設けられた蝶番ＨＮ（図４参照）を介して筐体ＢＸに支持されており、筐体ＢＸに対して右方側が開閉可能となっている。前面上扉ＵＤは、上施錠ユニット（不図示）を有し、前面下扉ＤＤは、下施錠ユニットＤＬを有する。
【００３１】
上施錠ユニットは、前面上扉ＵＤの右方側に設けられている。上施錠ユニットＵＬは、上扉ベースＵＢに取付けられる上施錠ベースＵＬａ、上施錠ベースＵＬａに対して傾動可能に支持され、筐体ＢＸに設けられた上被係合部ＢＸｃ（図４参照）に係合する位置と係合しない位置とに移動可能な上係合部ＵＬｂ、上係合部の移動を操作する係合操作部ＵＬｃ、及び上係合部と係合操作部ＵＬｃとを接続する上接続部（不図示）を有する。前面上扉ＵＤは、上施錠ユニットの上係合部ＵＬｂが上被係合部ＢＸｃに係合することにより、閉じている状態に施錠される。下施錠ユニットＤＬは、前面下扉ＤＤの右方側に設けられている。下施錠ユニットＤＬは、下扉ベースＤＢに取付けられる下施錠ベースＤＬａ、下施錠ベースＤＬａに対して傾動可能に支持され、筐体ＢＸに設けられた下被係合部ＢＸｄ（図４参照）に係合する位置と係合しない位置とに移動可能な下係合部ＤＬｂ、キー操作によって下係合部の移動を操作するシリンダ錠ＣＹ、及び下係合部ＤＬｂとシリンダ錠ＣＹとを接続する下接続部ＤＬｄを有する。前面下扉ＤＤは、下施錠ユニットＤＬの下係合部ＤＬｂが下被係合部ＢＸｄに係合することにより、閉じている状態に施錠される。前面扉ＦＤは、前面上扉ＵＤ及び前面下扉ＤＤが施錠されることにより、開口ＢＸａを閉じている状態となる。
【００３２】
前面上扉ＵＤは、前面扉ＦＤが開口ＢＸａを閉じている状態で傾斜面Ｓ１に対向する合わせ面ＵＤａを有し、前面下扉ＤＤは、前面扉ＦＤが開口ＢＸａを閉じている状態で傾斜面Ｓ１に対向する合わせ面ＤＤａを有している。また、前面上扉ＵＤは、前面上扉ＵＤの下端部に配置されて前方を向くように形成された下端前面ＵＤｂ（図５参照）を有している。前面下扉ＤＤは、前面下扉ＤＤの上端部に配置されて後方を向くように形成され、下端前面ＵＤｂに対向すると共に下端前面ＵＤｂに当接可能な上端後面ＤＤｂ（図５参照）を有している。
【００３３】
前面上扉ＵＤは、上端後面ＤＤｂが下端前面ＵＤｂに当接することにより、前面下扉ＤＤに対して開く方向への移動が規制される。このため、前面上扉ＵＤは、前面下扉ＤＤの下施錠ユニットＤＬの下係合部が下被係合部ＢＸｄに係合していない状態（前面下扉ＤＤが施錠されておらず、開いている状態）で、開閉可能となっている。また、前面下扉ＤＤは、前面上扉ＵＤの上施錠ユニットの上係合部が上被係合部ＢＸｃに係合している状態（前面上扉ＵＤが閉じて、施錠されている状態）で、前面下扉ＤＤとは独立して開閉可能となっている。
【００３４】
上施錠ユニットＵＬの係合操作部ＵＬｃは、前面下扉ＤＤが開いている状態で操作可能に露出するように配置されており、操作されることによって、上接続部を介して上施錠ユニットＵＬの上係合部ＵＬｂを上被係合部ＢＸｃに係合しない位置に移動させる。下施錠ユニットＤＬのシリンダ錠ＣＹは、前面下扉ＤＤに形成されたシリンダ用貫通孔ＤＢｃ（図１参照）から前端部ＣＹａ（図１参照）が前方に露出しており、挿入されたキーを回動させるキー操作が行われることによって、下接続部ＤＬｄを介して下施錠ユニットＤＬの下係合部ＤＬｂを下被係合部ＢＸｄに係合しない位置に移動させる。
【００３５】
また、前面上扉ＵＤは、前面上扉ＵＤの下端部に配置されて下方を向くように形成された、分割部ＤＶにおける分割面である上扉下端面ＵＤｃを有している。前面下扉ＤＤは、前面下扉ＤＤの上端部に配置されて上方を向くように形成され、前面扉ＦＤが開口ＢＸａを閉じている状態で上扉下端面ＵＤｃに対向する、分割部ＤＶにおける分割面である下扉上端面ＤＤｃを有している。上扉下端面ＵＤｃ及び下扉上端面ＤＤｃは、合わせ面ＵＤａ，ＤＤａと直交する仮想平面Ｓ２に対して、前方に向けて上向きとなるように傾斜している。
【００３６】
これにより、本実施形態のスロットマシン１は、作業者が前面下扉ＤＤが開いている状態で前面上扉ＵＤを開く際、前面上扉ＵＤの右端側が自重により下がった状態で前面上扉ＵＤが移動する場合であっても、上扉下端面ＵＤｃが下扉上端面ＤＤｃに沿って案内されるように構成される。また、本実施形態のスロットマシン１は、作業者が前面上扉ＵＤが閉じている状態で前面下扉ＤＤを閉じる際、作業者が前面下扉ＤＤを持ち上げながら閉じる場合であっても、上扉下端面ＵＤｃが下扉上端面ＤＤｃに沿って案内されるように構成される。
【００３７】
このように構成されていることで、本実施形態のスロットマシン１は、作業者が前面上扉ＵＤ及び前面下扉ＤＤを互いに独立して開閉する際、前面下扉ＤＤの上端部の後方の角と、前面上扉ＵＤの下端部の前方の角とが衝突しにくくなり、前面上扉ＵＤ及び前面下扉ＤＤの開閉操作における操作性の向上を図っている。また、前面下扉ＤＤの上端部の後方の角と前面上扉ＵＤの下端部の前方の角とが衝突して破損することの防止を図っている。更に、上扉下端面ＵＤｃと下扉上端面ＤＤｃとが摺動する際の、上扉下端面ＵＤｃと下扉上端面ＤＤｃとが接触する圧力を低下させ、上扉下端面ＵＤｃと下扉上端面ＤＤｃとの摺動による傷付きの抑制を図っている。
【００３８】
［リールユニットの詳細］
次に、リールユニット３１０の詳細について説明をする。図４に示すように、筐体ＢＸは、側方に配置された左右の側板ＢＸｅ，ＢＸｆを有している。側板ＢＸｅ，ＢＸｆ間には、上フレーム１１及び中フレーム１２が上下方向に離間して架け渡されている。
【００３９】
リールユニット３１０は、上フレーム１１及び中フレーム１２にねじ留めされるリールベース２１と、リールベース２１に保持され、第１リールＲ１〜第３リールＲ３のそれぞれに設けられて各リールを回転駆動するステッピングモータＭと、各ステッピングモータＭの駆動軸に支持された第１リールＲ１〜第３リールＲ３と、を有する。また、リールユニット３１０は、リールベース２１に保持され、第１リールＲ１〜第３リールＲ３のそれぞれに設けられて各リールの内側から前方に向けて光を照射する複数のＬＥＤを有するリールバックライト基板２３と、リールバックライト基板２３からの光を前方に案内するリフレクタ２５と、を有する。
【００４０】
第１リールＲ１〜第３リールＲ３は、それぞれ、ステッピングモータＭに軸支されているリールフレーム２２と、それぞれ複数の図柄を有する薄い帯状のリールテープＲＴと、を有する。リールフレーム２２は、ステッピングモータの回転軸と同心で、左右方向に離間して配置された円環状の１対のリム部２２ａと、１対のリム部２２ａの間に架け渡されて、１対のリム部２２ａを複数箇所で互いに接続する接続部２２ｂと、ステッピングモータＭの回転軸に取付けられるハブ部２２ｃと、一方のリム部２２ａとハブ部２２ｃとを接続してステッピングモータの回転力をハブ部２２ｃからリム部２２ａへ伝達するスポーク部（不図示）と、を有し、合成樹脂によって一体的に形成されている。１対のリム部２２ａのそれぞれの外周には、左右方向に所定の幅を有して形成され、リールテープＲＴに当接してリールテープＲＴの左右端部を径方向に支持するための端部支持面２２ｄが形成されている。
【００４１】
接続部２２ｂは、１対のリム部２２ａの端部支持面２２ｄと連続し、１対のリム部２２ａの間でリールテープＲＴを径方向に支持するための中間支持面２２ｅが形成されている。端部支持面２２ｄ及び中間支持面２２ｅによって、リールテープＲＴを径方向に支持するための支持面２２ｆが形成されている。
【００４２】
リールテープＲＴは、合成樹脂製の基材に複数の図柄が印刷されており、円筒状になるようにリールフレーム２２の支持面２２ｆに巻き掛けられて、例えば、端部支持面２２ｄに粘着材で貼り付けられて、リールフレーム２２に対して相対回転しないように保持されている。リールテープＲＴは、複数の図柄のうち、他の図柄（第１の図柄）と比較して第１リールＲ１〜第３リールＲ３の回転中における識別力が高い特定図柄（第２の図柄）Ｐ１を有している。特定図柄Ｐ１は、値「７」をデザイン化した図柄であり、複数の図柄のうち最もリールテープＲＴの長手方向及び左右方向（リールの回転軸方向）の寸法が大きく形成されている。また、特定図柄Ｐ１は、可視光の透過率が低い第１領域Ｐ１ａと、可視光の透過率が第１領域よりも高い第２領域Ｐ１ｂ（図４のハッチング部分）と、を有している。具体的には、リールテープＲＴの第１領域Ｐ１ａには、可視光の透過率が低い色の塗料、例えば黒色、暗灰色、濃紺色等の塗料により印刷が施されている。なお、第１領域の可視光の透過率が低い色の塗料による印刷は、各リールの内側及び外側のいずれの側に施されていてもよいし、当該印刷に重ねて他の色の印刷や金属皮膜の形成等が行われていてもよい。ただし、第１領域は、各リールの外側（リールの軸とは反対側、遊技者の側）から視て、明度の低い色、例えば黒色、暗灰色、濃紺色等となっていることが望ましい。これにより、第１領域からの反射光を低減して、第２領域を透過するリールバックライト基板からの光をより目立たせることが可能となる。
【００４３】
特定図柄Ｐ１は、他の図柄と比較して相対的に大きく形成されていること、及び第１領域Ｐ１ａと第２領域Ｐ１ｂとの可視光の透過率等の差により第２領域Ｐ１ｂを透過するリールバックライト基板２３からの光を遊技者が視認しやすくなることによって、第１リールＲ１〜第３リールＲ３の回転中において他の図柄よりも遊技者が識別しやすいようになっている。
【００４４】
なお、特定図柄は、少なくとも特定図柄以外の何れかの図柄と比較して相対的に大きく形成されていればよく、例えば、特定図柄は、リールテープＲＴの長手方向の寸法、左右方向の寸法及び面積の何れか１つが複数の図柄のうち最も大きく形成されていてもよいし、複数の図柄のうち２番目に左右方向の寸法が大きく形成されていてもよいし、値「７」以外の他の文字列（例えば「ＢＡＲ」等）を含む図柄や、キャラクターの図柄等であってもよい。
【００４５】
第２領域Ｐ１ｂは、リールテープＲＴがリールフレーム２２に固定された状態で、リールフレーム２２の回転中心（第１リールＲ１〜第３リールＲ３の回転中心）ＣＬからの径方向視において、１対のリム部２２ａ及び接続部２２ｂと重ならない位置に配置されている。言い換えると、第２領域Ｐ１ｂは、リールテープＲＴがリールフレーム２２に固定された状態で、リールフレーム２２の回転中心ＣＬからの径方向視において、支持面２２ｆと重ならない位置に配置されている。これにより、リールバックライト基板２３から透過率の高い第２領域へ向かう光が、リールフレーム２２によって遮光されることを防ぎ、遊技者が第２領域Ｐ１ｂを視認しやすくなることで、遊技者が停止操作を行う際の操作性の向上を図っている。
【００４６】
なお、第２領域Ｐ１ｂは、リールテープＲＴがリールフレーム２２に固定された状態で、リールフレーム２２の回転中心からの径方向視において１対のリム部２２ａ及び接続部２２ｂと重ならない位置に配置されていればよく、例えば、リールテープがリールフレームに固定された状態で、リールフレーム２２の回転中心からの径方向視において第２領域の稜線がリールフレームの稜線（図４における第１リールＲ１の破線で示す部分）と重なるように配置されていてもよい。
【００４７】
また、リールテープの図柄が配置されていない第３領域ＲＴａの可視光の透過率は、特定図柄Ｐ１の第１領域Ｐ１ａと第２領域Ｐ１ｂとの間となっている。これにより、遊技者がリールバックライト基板２３からの光によって第１領域Ｐ１ｂを視認しやすくして、遊技者が停止操作を行う際の操作性の向上を図っている。なお、特定図柄は、第１領域の内側（第２領域との間）や第１領域の外側に、第１領域及び第２領域と異なる色の領域が配置されていてもよい。
【００４８】
［前面下扉及び下施錠ユニットの詳細］
図３及び図５に示すように、下扉ベースＤＢは、下施錠ユニットＤＬの下施錠ベースＤＬａが取付けられる下施錠ユニット取付面ＤＢａ、下施錠ユニットＤＬを下扉ベースＤＢに取付けるためのねじが挿入される複数の施錠ユニット取付穴ＤＢｂ、シリンダ錠ＣＹの前端部ＣＹａが挿入されたシリンダ用貫通孔ＤＢｃ、及びシリンダ用貫通孔ＤＢｃの前端側の開口の周囲に形成されたシリンダ周囲面ＤＢｄを有している。
【００４９】
下施錠ユニット取付面ＤＢａは、後方を向いて合わせ面ＤＤａに平行となるように形成されており、下施錠ベースＤＬａに当接している。複数の施錠ユニット取付穴ＤＢｂは、下施錠ユニット取付面ＤＢａから前方に向かって延びており、合わせ面ＤＤａに直交する方向に沿って形成されている。即ち、施錠ユニット取付穴ＤＢｂの中心線ＤＢｂＬは、合わせ面ＤＤａと直交している。シリンダ用貫通孔ＤＢｃは、合わせ面ＤＤａに直交する方向に延びるように形成されている。即ち、シリンダ用貫通孔ＤＢｃの中心線ＤＢｃＬは、合わせ面ＤＤａと直交している。シリンダ周囲面ＤＢｄは、前方を向いて合わせ面ＤＤａに平行となるように形成されており、前後方向におけるシリンダ錠ＣＹの前端部ＣＹａの近傍に配置されている。なお、シリンダ周囲面ＤＢｄは、操作部前面ＣＰｂ（図１参照）と同一の面として下扉ベースＤＢに形成されていてもよい。
【００５０】
下施錠ベースＤＬａは、例えば鋼板等により形成されており、下扉ベースＤＢに取付けられた状態で、合わせ面ＤＤａに平行となるように形成されたシリンダ取付面ＤＬｃを有する。シリンダ錠ＣＹは、下扉ベースＤＢに取付けられた状態で、合わせ面と直交する方向に延びる円筒状に形成されている。即ち、円筒状に形成されたシリンダ錠ＣＹの中心線ＣＹＬは、合わせ面ＤＤａと直交している。また、シリンダ錠ＣＹは、合わせ面ＤＤａに平行となるように形成されてシリンダ取付面ＤＬｃに取付けられるフランジ部ＣＹｂを有している。
【００５１】
［前面下扉及びストップボタンユニットの詳細］
図１、図６及び図７に示すように、下扉ベースＤＢは、ストップボタンユニットＢＵが取付けられるストップボタンユニット取付面ＤＢｅ、ストップボタンユニットＢＵを下扉ベースＤＢに取付けるためのねじが挿入される複数のストップボタンユニット取付穴ＤＢｆ、ボタンカバーＢＣを支持するボタンカバー支持面ＤＢｇ及びボタンカバー取付面ＤＢｈを有している。なお、図６は、ストップボタンＢ２の中心で切断した図１におけるＣ−Ｃ断面図であるが、ストップボタンＢ１及びストップボタンＢ３の中心で切断した断面図も同様であるため、ストップボタンＢ１及びストップボタンＢ３については、図示を省略する。
【００５２】
ストップボタンユニット取付面ＤＢｅは、前方を向いて合わせ面ＤＤａに平行となるように形成されており、ストップボタンユニットＢＵに当接している。ボタンカバー支持面ＤＢｇは、前方を向いて合わせ面ＤＤａに平行となるように形成されており、ボタンカバーＢＣに当接してボタンカバーＢＣが後方へ向けて移動することを規制する。ボタンカバー取付面ＤＢｈは、後方を向いて合わせ面ＤＤａに平行となるように形成されており、ボタンカバーＢＣが前方へ向けて移動することを規制する。複数のストップボタンユニット取付穴ＤＢｆは、ストップボタンユニット取付面ＤＢｅから後方に向かって延びており、合わせ面ＤＤａに直交する方向に沿って形成されている。即ち、複数のストップボタンユニット取付穴ＤＢｆの中心線ＤＢｆＬは、合わせ面ＤＤａに直交している。
【００５３】
図６乃至図８に示すように、ストップボタンユニットＢＵは、下扉ベースＤＢに取付けられるボタンベース３１、ストップボタンＢ１〜ストップボタンＢ３、ボタンガイド３２を有し、また、ストップボタンＢ１〜ストップボタンＢ３のそれぞれに対して、ボタンばね３３、及びストップボタンＢ１〜ストップボタンＢ３の移動に基づいて停止操作を検知する透過型の光学センサであるストップスイッチ３５を有している。
【００５４】
ボタンベース３１は、下扉ベースＤＢのストップボタンユニット取付面ＤＢｅに当接する当接面３１ａ、下扉ベースＤＢに取付けるためのねじが貫通する複数のねじ貫通孔３１ｂ、ボタンガイド３２を保持する複数のボタンガイド保持部３１ｃ、及びストップスイッチ３５が取付けられるスイッチ取付部３１ｄを有し、合成樹脂によって形成されている。当接面３１ａは、ストップボタンユニットＢＵが下扉ベースＤＢに取付けられた状態で、合わせ面ＤＤａに平行となるように形成されている。複数のねじ貫通孔３１ｂは、ストップボタンユニットＢＵが下扉ベースＤＢに取付けられた状態で、合わせ面ＤＤａに直交する方向に延びるように形成されている。即ち、ねじ貫通孔３１ｂの中心線３１ｂＬは、合わせ面ＤＤａに直交している。なお、ボタンベースのねじ貫通孔は、一部が孔の軸方向と直交する方向に開放し、孔の軸方向視でＣ字状に形成されていてもよい。ボタンベース３１は、ボタンガイド３２との間にストップスイッチ３５を収納した状態で、複数のボタンガイド保持部３１ｃによってボタンガイド３２を保持する。
【００５５】
ボタンガイド３２は、ストップボタンＢ１〜ストップボタンＢ３のそれぞれに対応して形成され、ストップボタンＢ１〜ストップボタンＢ３の移動を案内するボタンガイド穴としてのガイド穴３２ａを有し、合成樹脂によって形成されている。また、ボタンガイド３２は、ストップボタンＢ１〜ストップボタンＢ３の前方への移動を規制する前方規制面３２ｂ、ストップボタンＢ１〜ストップボタンＢ３の後方への移動を規制する後方規制面３２ｃ、及びボタン周囲面３２ｄを有している。
【００５６】
ガイド穴３２ａは、ストップボタンユニットＢＵが下扉ベースＤＢに取付けられた状態で、前端側が開口すると共に合わせ面ＤＤａに直交する方向に延びており、合わせ面ＤＤａに直交する方向にストップボタンＢ１〜ストップボタンＢ３の移動を案内する。即ち、ガイド穴３２ａの中心線３２ａＬは、合わせ面ＤＤａに直交している。前方規制面３２ｂ及び後方規制面３２ｃは、ストップボタンユニットＢＵが下扉ベースＤＢに取付けられた状態で、合わせ面ＤＤａに平行となるように形成されている。ボタン周囲面３２ｄは、ストップボタンＢ１〜ストップボタンＢ３のそれぞれのガイド穴３２ａの前端側の開口の周囲に、合わせ面ＤＤａと平行に形成されている。
【００５７】
ストップボタンＢ１〜ストップボタンＢ３は、それぞれ、遊技者が押圧可能な押圧部Ｂａ、前方規制面３２ｂに当接可能な前方当接面Ｂｂ、後方規制面３２ｃに当接可能な後方当接面Ｂｄ、及びストップスイッチ３５の光軸を遮光するインデックスＢｅを有する。ストップボタンＢ１〜ストップボタンＢ３は、前方当接面Ｂｂが前方規制面３２ｂに当接する位置から、後方当接面Ｂｄが後方規制面３２ｃに当接する位置までの間で、ガイド穴３２ａに案内されて合わせ面ＤＤａに直交する方向に移動可能となっている。ボタンばね３３は、ストップボタンＢ１〜ストップボタンＢ３とボタンガイド３２との間に配置され、ストップボタンＢ１〜ストップボタンＢ３を前方に向けて付勢する。
【００５８】
ストップボタンＢ１〜ストップボタンＢ３は、遊技者によって、ボタンばね３３の付勢力に抗して押圧部Ｂａが後方に向けて押圧され、インデックスＢｅがストップスイッチ３５の光軸を遮光する位置まで移動することにより、ストップスイッチ３５が制御基板１０に出力するリール停止信号をＯＦＦ状態からＯＮ状態へ変化させる。また、ストップボタンＢ１〜ストップボタンＢ３は、遊技者が押圧部Ｂａから手を離すと、ボタンばね３３の付勢力によって前方に移動し、インデックスＢｅがストップスイッチ３５の光軸を遮光しない位置まで移動することにより、ストップスイッチ３５が制御基板１０に出力するリール停止信号をＯＮ状態からＯＦＦ状態へ変化させる。
【００５９】
図７に示すように、ボタンカバーＢＣは、下扉ベースＤＢに取付けられており、ストップボタンＢ１〜ストップボタンＢ３が貫通するボタン用貫通孔ＢＣａ、及びストップボタンＢ１〜ストップボタンＢ３のそれぞれのボタン用貫通孔ＢＣａの前端側の開口の周囲に、合わせ面ＤＤａと平行に形成された貫通孔周囲面ＢＣｂを有し、合成樹脂によって形成されている。下扉ベースＤＢに取付けられた状態で、ボタン用貫通孔ＢＣａは、合わせ面ＤＤａに直交する方向に延びるように形成されている。即ち、ボタン用貫通孔ＢＣａの中心線ＢＣａＬは、合わせ面ＤＤａに直交している。また、貫通孔周囲面ＢＣｂは、合わせ面ＤＤａに平行となるように形成されている。ボタンカバーＢＣは、下扉ベースＤＢに取付けられている状態で、ストップボタンＢ１〜ストップボタンＢ３の周囲の前方側を被覆している。
【００６０】
押圧部Ｂａの上下方向の中心Ｂｆ（図６参照）の位置は、後述するスタートレバーＳＬのグリップ４４の中心である４４ｃ（グリップ４４の前端である４４ａ、図９参照）の上下方向の位置よりもやや上方に配置されている。これにより、遊技者が上方から下方に向けてスタートレバーＳＬの開始操作を行った後にストップボタンＢ１〜ストップボタンＢ３の停止操作を行う際、手の上下方向の移動量を少なくすることができ、ストップボタンＢ１〜ストップボタンＢ３の操作性の向上を図っている。
【００６１】
［前面下扉及びスタートレバーユニットの詳細］
図９及び図１０に示すように、下扉ベースＤＢは、スタートレバーユニットＬＵが取付けられるレバー取付面ＤＢｊ、スタートレバーユニットＬＵを下扉ベースＤＢに取付けるためのねじが挿入される複数のレバー取付穴ＤＢｋ、スタートレバーユニットＬＵの後部が挿入されたレバー用貫通孔ＤＢｍ、及びレバー周囲面ＤＢｎを有している。
【００６２】
レバー取付面ＤＢｊは、後方を向いて合わせ面ＤＤａに平行となるように形成されており、スタートレバーユニットＬＵに当接している。複数のレバー取付穴ＤＢｋは、レバー取付面ＤＢｊから前方に向かって延びており、合わせ面ＤＤａに直交する方向に沿って形成されている。レバー用貫通孔ＤＢｍは、レバー取付面ＤＢｊから前方に向かって延びており、合わせ面ＤＤａに直交する方向に沿って形成されている。即ち、複数のレバー取付穴ＤＢｋの中心線ＤＢＫＬ及びレバー用貫通孔ＤＢｍの中心線ＤＢｍＬは、合わせ面ＤＤａに直交している。
【００６３】
また、レバー周囲面ＤＢｎは、レバー用貫通孔ＤＢｍの前端側の開口の周囲に、合わせ面ＤＤａに平行となるように形成されている。なお、レバー周囲面ＤＢｎは、操作部前面ＣＰｂと同一の面として下扉ベースＤＢに形成されていてもよい。スタートレバーユニットＬＵは、後方から下扉ベースＤＢの操作部ＣＰに取付けられており、前端側がレバー用貫通孔ＤＢｍを貫通して操作部ＣＰから前方に露出している。
【００６４】
スタートレバーユニットＬＵは、下扉ベースＤＢに取付けられる保持部４１、スタートレバーＳＬ、付勢手段としての復帰ばね４３、及び軸部４２の初期位置からの上下左右方向への傾動に基づいて開始操作を検知する傾動センサ４５を有している。スタートレバーＳＬは、揺動（傾動）可能に保持部４１に保持された軸部４２、及び軸部４２の前端部に取付けられた球状のグリップ４４を有している。
【００６５】
保持部４１は、レバー用貫通孔ＤＢｍに挿入される円筒状の円筒部４１ａ、及び下扉ベースＤＢに取付けるためのねじが貫通する複数のねじ貫通孔４１ｂを有し、合成樹脂によって形成されている。円筒部４１ａ及び複数のねじ貫通孔４１ｂは、下扉ベースＤＢに取付けられた状態で、合わせ面ＤＤａに直交する方向に延びるように形成されている。即ち、円筒部４１ａの中心線４１ａＬ及び複数のねじ貫通孔４１ｂの中心線４１ｂＬは、合わせ面ＤＤａに直交している。なお、保持部のねじ貫通孔は、一部が孔の軸方向と直交する方向に開放し、孔の軸方向視でＣ字状に形成されていてもよい。
【００６６】
軸部４２は、初期位置に位置している状態、即ち遊技者による操作が行われていない状態で、操作部前面ＣＰｂから前方に向けて、合わせ面ＤＤａに直交する方向に延びている。復帰ばね４３は、軸部４２と保持部４１との間に配置されており、軸部４２を初期位置に向けて付勢する。軸部４２が初期位置から上下左右方向へ傾動すると、傾動センサ４５が制御基板１０（図４参照）に出力する検知信号がＯＦＦ状態からＯＮ状態に変化する。なお、軸部４２は、初期位置に位置している状態で合わせ面ＤＤａに厳密に直交する方向に延びているものに限定されない。軸部は、例えば、自重によって前端が下がり、合わせ面に直交する方向に対して０〜３°程度傾斜していてもよい。
【００６７】
［前面下扉及び清算ボタン及びシングルベットボタンの詳細］
下扉ベースＤＢは、合わせ面ＤＤａに直交する方向に延びて操作部前面ＣＰｂに形成され、図１に示す清算ボタンＢＳが挿入された清算ボタン用貫通孔（不図示）と、図１に示すシングルベットボタンＢＴが挿入されたシングルベットボタン用貫通孔（不図示）と、を有する。また、図１に示すように、下扉ベースＤＢは、清算ボタン用貫通孔の前端側の開口の周囲に合わせ面ＤＤａに平行となるように形成された清算ボタン周囲面ＤＢｐと、シングルベットボタン用貫通孔の前端側の開口の周囲に合わせ面ＤＤａに平行となるように形成されたシングルベットボタン周囲面ＤＢｑと、を有する。
【００６８】
［前面下扉の生産工程］
次に、図１、図３、図５乃至図１０を参照して、前面下扉ＤＤの生産工程について説明する。下扉ベースＤＢ、ボタンベース３１、ボタンガイド３２、ボタンカバーＢＣ、保持部４１等は、組立てられた状態での合わせ面ＤＤａに直交する方向を開き方向（抜き方向）とする金型を用いて射出成形によって形成される。本実施形態の前面扉ＦＤは、下施錠ユニット取付面ＤＢａ、シリンダ周囲面ＤＢｄ、ストップボタンユニット取付面ＤＢｅ、ボタンカバー支持面ＤＢｇ、レバー取付面ＤＢｊ、レバー周囲面ＤＢｎ、清算ボタン周囲面ＤＢｐ、シングルベットボタン周囲面ＤＢｑ、当接面３１ａ、前方規制面３２ｂ、後方規制面３２ｃ、ボタン周囲面３２ｄ及び貫通孔周囲面ＢＣｂが、合わせ面ＤＤａに平行、即ち金型の開き方向に直交するように形成されている。
【００６９】
これにより、下扉ベースＤＢ、ボタンベース３１及びボタンガイド３２は、上記各面が合わせ面ＤＤａと交差するように形成される場合と比較して、形状の簡略化を図ることが可能となるため、部品設計における設計コストの低減及び寸法精度の向上を図ることが可能となり、製品の歩留まりを向上して、生産コストの低減を図ることを可能としている。また、一般的に、金型を作成する際、金型の開き方向と直交する面の加工時間は、直交する面に対して傾斜する面の加工時間よりも短い。このため、下扉ベースＤＢ、ボタンベース３１及びボタンガイド３２は、上記各面が金型の開き方向と直交する面に対して傾斜するように形成される場合と比較して、金型加工時間の短縮化を図ることが可能となり、金型コストの低減を図ることを可能としている。また、寸法精度の向上を図ることにより、各部品間の隙間の縮小を可能とし、防犯性の向上を図ることを可能としている。
【００７０】
また、本実施形態の前面扉ＦＤは、複数の施錠ユニット取付穴ＤＢｂ、シリンダ用貫通孔ＤＢｃ、複数のストップボタンユニット取付穴ＤＢｆ、複数のレバー取付穴ＤＢｋ、レバー用貫通孔ＤＢｍ、清算ボタン用貫通孔、シングルベットボタン用貫通孔、複数のねじ貫通孔３１ｂ、ガイド穴３２ａ、ボタン用貫通孔ＢＣａ、円筒部４１ａ及び複数のねじ貫通孔４１ｂが、合わせ面ＤＤａに直交する方向に延びるように形成されている。
【００７１】
これにより、下扉ベースＤＢ、ボタンベース３１、ボタンガイド３２及び保持部４１は、上記各面が合わせ面ＤＤａと交差するように形成される場合と比較して、形状の簡略化を図ることが可能となるため、部品設計における設計コストの低減及び寸法精度の向上を図ることが可能となり、製品の歩留まりの向上を可能としている。また、金型の開き方向と交差する方向へ移動するスライドコア等が必要となるアンダーカット形状の削減を図ることが可能となり、金型構造の簡略化を可能とし、金型コストの低減や生産サイクルの短縮化を図ることによって、生産コストの低減を図ることを可能としている。また、アンダーカット形状の削減により、部品を分割することなく広範囲の形状を一体的に形成することが可能となり、部品点数の削減を可能にすると共に、部品の継ぎ目を削減して防犯性の向上を可能としている。
【００７２】
なお、複数の施錠ユニット取付穴ＤＢｂ、シリンダ用貫通孔ＤＢｃ、複数のストップボタンユニット取付穴ＤＢｆ、複数のレバー取付穴ＤＢｋ、レバー用貫通孔ＤＢｍ、清算ボタン用貫通孔、シングルベットボタン用貫通孔、複数のねじ貫通孔３１ｂ、ガイド穴３２ａ、ボタン用貫通孔ＢＣａ、円筒部４１ａ及び複数のねじ貫通孔４１ｂの各中心線は、合わせ面ＤＤａと厳密に直交するように形成されているものに限定されない。複数の施錠ユニット取付穴、シリンダ用貫通孔、複数のストップボタンユニット取付穴、複数のレバー取付穴、レバー用貫通孔、清算ボタン用貫通孔、シングルベットボタン用貫通孔、複数のねじ貫通孔、ガイド穴、ボタン用貫通孔、円筒部及び複数のねじ貫通孔は、射出成型において合わせ面と直交する方向に型抜き可能な形状であればよい。また、例えば、複数の施錠ユニット取付穴、シリンダ用貫通孔、複数のストップボタンユニット取付穴、複数のレバー取付穴、レバー用貫通孔、清算ボタン用貫通孔及びシングルベットボタン用貫通孔、複数のねじ貫通孔、ガイド穴、ボタン用貫通孔、円筒部及び複数のねじ貫通孔は、合わせ面に直交する方向に対して内面に０〜３°程度の抜き勾配が形成されていてもよいし、各孔の抜き勾配は１つの孔において一定でなくてもよい。
【００７３】
前面下扉を構成する各部品は、金型による成形等で生産された後、組立てられる。まず、下扉ベースＤＢの前方側から、合わせ面ＤＤａと直交する方向に沿って、ストップボタンユニットＢＵがセットされてねじ留めされ、合わせ面ＤＤａと直交する方向に沿って、ボタンカバーＢＣ、清算ボタンＢＳ及びシングルベットボタンＢＴが取付けられる。次に、下扉ベースＤＢの後方側から、合わせ面ＤＤａと直交する方向に沿って、下施錠ユニットＤＬ、スタートレバーユニットＬＵがセットされてねじ留めされ、電飾装置３７０、音響装置３９０、メダル受け皿ＭＰ等がねじ留めされる。
【００７４】
下扉ベースＤＢに取付けられる各部品は、合わせ面ＤＤａと直交する方向に沿って組立てられるため、組立て工程の簡略化が可能となり、工程設計における設計コストの低減を可能にすると共に、誤組立の抑制、製品の歩留まりの向上、組立て時間の短縮化を可能として、生産コストの低減を可能としている。
【００７５】
［本実施形態のまとめ］
本実施形態に係る遊技機（１）は、
複数のリール（Ｒ１，Ｒ２，Ｒ３）と、
上部よりも下部が前方となる傾斜面（Ｓ１）に沿って前面側に形成された開口（ＢＸａ）を有し、前記複数のリール（Ｒ１，Ｒ２，Ｒ３）を内部に収容する筐体（ＢＸ）と、
開閉可能に前記筐体（ＢＸ）に支持されて、前記開口（ＢＸａ）が閉じられている状態で前記傾斜面（Ｓ１）に対向する合わせ面（ＤＤａ）を有する前扉（ＦＤ）と、
前記合わせ面（ＤＤａ）と直交する方向に延びる円筒状のシリンダ錠（ＣＹ）と、を備え、
前記前扉（ＦＤ）は、前記合わせ面（ＤＤａ）と直交する方向に形成され、前記シリンダ錠（ＣＹ）が挿入されたシリンダ用貫通孔（ＤＢｃ）を有する、ことを特徴とする。
【００７６】
これにより、設計コストの低減や金型構造の簡略化を図ることが可能となるので、生産コストの低減を図ることが可能となる。
【００７７】
また、遊技機（１）は、
前記前扉（ＦＤ）は、前記シリンダ用貫通孔（ＤＢｃ）の前端側の開口の周囲に、前記合わせ面（ＤＤａ）と平行に形成されたシリンダ周囲面（ＤＢｄ）を有する、ことを特徴とする。
【００７８】
これにより、設計コストの低減や寸法精度の向上を図ることが可能となるので、生産コストの低減を図ることが可能となる。
【００７９】
また、遊技機（１）は、
傾動操作が可能なスタートレバー（ＳＬ）と、前記スタートレバー（ＳＬ）を保持する保持部（４１）と、を有するスタートレバーユニット（ＬＵ）を備え、
前記前扉（ＦＤ）は、前記合わせ面（ＤＤａ）と直交する方向に形成され、前記スタートレバーユニット（ＬＵ）が挿入されたレバー用貫通孔（ＤＢｍ）を有する、ことを特徴とする。
【００８０】
これにより、設計コストの低減や金型構造の簡略化を図ることが可能となるので、生産コストの低減を図ることが可能となる。
【００８１】
また、遊技機（１）は、
前記前扉（ＦＤ）は、前記レバー用貫通孔（ＤＢｍ）の前端側の開口の周囲に、前記合わせ面（ＤＤａ）と平行に形成されたレバー周囲面（ＤＢｎ）を有する、ことを特徴とする。
【００８２】
これにより、設計コストの低減や寸法精度の向上を図ることが可能になるので、生産コストの低減を図ることが可能となる。
【００８３】
また、遊技機（１）は、
ストップボタン（Ｂ１，Ｂ２，Ｂ３）を備え、
前記前扉（ＦＤ）は、前記合わせ面（ＤＤａ）と直交する方向に形成され、前記ストップボタン（Ｂ１，Ｂ２，Ｂ３）の移動を案内するボタンガイド穴（３２ａ）を有する、ことを特徴とする。
【００８４】
これにより、設計コストの低減や金型構造の簡略化を図ることが可能となるので、生産コストの低減を図ることが可能となる。
【００８５】
また、遊技機（１）は、
前記前扉（ＦＤ）は、前記ボタンガイド穴（３２ａ）の前端側の開口の周囲に、前記合わせ面（ＤＤａ）と平行に形成されたボタン周囲面（３２ｄ）を有する、ことを特徴とする。
【００８６】
これにより、設計コストの低減や寸法精度の向上を図ることが可能になるので、生産コストの低減を図ることが可能となる。
【００８７】
［他の実施形態の可能性］
なお、本実施形態において、前扉としての前面扉ＦＤは、合わせ面ＤＤａに平行となるように形成された、下施錠ユニット取付面ＤＢａ、シリンダ周囲面ＤＢｄ、ストップボタンユニット取付面ＤＢｅ、ボタンカバー支持面ＤＢｇ、レバー取付面ＤＢｊ、レバー周囲面ＤＢｎ、清算ボタン周囲面ＤＢｐ及びシングルベットボタン周囲面ＤＢｑと、合わせ面ＤＤａに直交する方向に延びるように形成された、複数の施錠ユニット取付穴ＤＢｂ、シリンダ用貫通孔ＤＢｃ、複数のストップボタンユニット取付穴ＤＢｆ、複数のレバー取付穴ＤＢｋ、レバー用貫通孔ＤＢｍ、清算ボタン用貫通孔及びシングルベットボタン用貫通孔を有し、一体で形成された下扉ベースＤＢを有しているが、これに限定されない。
【００８８】
例えば、前扉は、合わせ面に平行となるように形成された、下施錠ユニット取付面、シリンダ周囲面、ストップボタンユニット取付面、ボタンカバー取付面、レバー取付面、レバー周囲面、清算ボタン周囲面及びシングルベットボタン周囲面のうち、何れか１つ又は複数を有していればよい。また、例えば、前扉は、合わせ面に直交する方向に延びるように形成された、複数の施錠ユニット取付穴、シリンダ用貫通孔、複数のストップボタンユニット取付穴、複数のレバー取付穴、レバー用貫通孔、清算ボタン用貫通孔及びシングルベットボタン用貫通孔のうち、何れか１つ又は複数を有していればよい。
【００８９】
また、例えば、前扉は、下施錠ユニット取付面、シリンダ周囲面、ストップボタンユニット取付面、ボタンカバー取付面、レバー取付面、レバー周囲面、清算ボタン周囲面、シングルベットボタン周囲面、複数の施錠ユニット取付穴、シリンダ用貫通孔、複数のストップボタンユニット取付穴、複数のレバー取付穴、レバー用貫通孔、清算ボタン用貫通孔及びシングルベットボタン用貫通孔のうち、何れか１つ又は複数が形成されている部分が、下扉ベースとは別部品で構成されていてもよい。具体的には、前扉は、操作部を下扉ベースとは別部品として有していてもよく、下扉ベースに別部品である操作部が取付けられている構造であってもよい。
【００９０】
なお、本実施形態において、シリンダ周囲面ＤＢｄ、ボタン周囲面３２ｄ、貫通孔周囲面ＢＣｂ、レバー周囲面ＤＢｎ、清算ボタン周囲面ＤＢｐ、シングルベットボタン周囲面ＤＢｑ、シリンダ用貫通孔ＤＢｃ、ボタン用貫通孔ＢＣａ、レバー用貫通孔ＤＢｍ、清算ボタン用貫通孔及びシングルベットボタン用貫通孔は、前方から視認可能な位置に配置されているが、これに限定されない。シリンダ周囲面、ボタン周囲面、貫通孔周囲面、レバー周囲面、清算ボタン周囲面、シングルベットボタン周囲面、シリンダ用貫通孔、ボタン用貫通孔、レバー用貫通孔、清算ボタン用貫通孔及びシングルベットボタン用貫通孔は、外部から視認できないように遊技機の内部に配置されていてもよい。
【００９１】
また、本実施形態において、前扉としての前面扉ＦＤは、それぞれ個別に開閉可能な前面上扉ＵＤと前面下扉ＤＤとに上下に分割して構成されているが、これに限定されない。前扉は、筐体の開口を開閉可能に筐体に支持されていればよく、例えば、前扉は、正面視において筐体の開口と略同サイズで、表示装置、可動役物装置、メダル受け皿、各種の操作手段が取付けられた扉ベースを有して、一体で筐体の開口を開閉可能となるように構成されていてもよいし、上下に分割して構成されてはいるが、上下の扉が個別に開閉できないように互いに結合されていてもよい。
【００９２】
また、本実施形態において、ストップボタンＢ１〜ストップボタンＢ３は、それぞれのボタンばね３３、ストップスイッチ３５、ボタンガイド３２等と共にストップボタンユニットＢＵを構成し、ストップボタンユニットＢＵとしてユニット化された状態で、前方から下扉ベースＤＢに取付けられているが、これに限定されない。ストップボタンは、ボタンガイド穴に前後方向への移動を案内されるように構成されていればよく、例えば、ストップボタンユニットが下扉ベースの後方から取付けられていてもよいし、１つのストップボタン、ボタンばね、ストップスイッチ及びボタンガイド穴を有するボタンガイドがユニット化されたものが、複数個（例えば３個）下扉ベース等に取付けられていてもよいし、ボタンガイド穴が下扉ベースや操作部等と一体的に形成されていてもよい。
【００９３】
また、本実施形態において、シリンダ用貫通孔ＤＢｃにはシリンダ錠ＣＹの前端部ＣＹａが挿入され、レバー用貫通孔ＤＢｍにはスタートレバーユニットＬＵの後部が挿入されているが、これに限定されない。シリンダ用貫通孔にはシリンダ錠の少なくとも一部が挿入され、レバー用貫通孔にはスタートレバーユニットの少なくとも一部が挿入されていればよく、例えば、シリンダ用貫通孔にシリンダ錠の全部が挿入され、レバー用貫通孔にスタートレバーユニットの全部が挿入されていてもよい。
【符号の説明】
【００９４】
１      遊技機（スロットマシン）
３２ａ  ボタンガイド穴
３２ｄ  ボタン周囲面
４１    保持部
Ｂ１    ストップボタン
Ｂ２    ストップボタン
Ｂ３    ストップボタン
ＢＸ    筐体
ＢＸａ  開口
ＣＹ    シリンダ錠
ＤＢｃ  シリンダ用貫通孔
ＤＢｄ  シリンダ周囲面
ＤＢｍ  レバー用貫通孔
ＤＢｎ  レバー周囲面
ＤＤａ  合わせ面
ＦＤ    前扉（前面扉）
ＬＵ    スタートレバーユニット
Ｒ１    リール（第１リール）
Ｒ２    リール（第２リール）
Ｒ３    リール（第３リール）
Ｓ１    傾斜面
ＳＬ    スタートレバー
【図１】
2020195553.tif 000003
【図２】
2020195553.tif 000004
【図３】
2020195553.tif 000005
【図４】
2020195553.tif 000006
【図５】
2020195553.tif 000007
【図６】
2020195553.tif 000008
【図７】
2020195553.tif 000009
【図８】
2020195553.tif 000010
【図９】
2020195553.tif 000011
【図１０】
2020195553.tif 000012
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
前面側に形成された開口を有する筐体と、
前記筐体に支持された前扉と、を備え、
前記開口は、上部よりも下部が前方となる傾斜面に沿って形成されており、
前記前扉は、
前記傾斜面に対向する合わせ面と、
円筒状のシリンダ錠と、
前記シリンダ錠が挿入されたシリンダ用貫通孔と、
スタートレバーと、
前記スタートレバーが挿入されたレバー用貫通孔と、
ストップボタンと、
前記ストップボタンが挿入されたボタン用貫通孔と、を有し、
前記シリンダ用貫通孔は、前記合わせ面と直交するように形成されており、
前記レバー用貫通孔は、前記合わせ面と直交するように形成されており、
前記ボタン用貫通孔は、前記合わせ面と直交するように形成されている、
ことを特徴とする遊技機。
【請求項２】
前記シリンダ用貫通孔の前面は、前記合わせ面と平行するように形成されており、
前記レバー用貫通孔の前面は、前記合わせ面と平行するように形成されている、
ことを特徴とする請求項１に記載の遊技機。
【手続補正２】
【補正対象書類名】明細書
【補正対象項目名】０００７
【補正方法】変更
【補正の内容】
【０００７】
本発明は、前面側に形成された開口を有する筐体と、
前記筐体に支持された前扉と、を備え、
前記開口は、上部よりも下部が前方となる傾斜面に沿って形成されており、
前記前扉は、
前記傾斜面に対向する合わせ面と、
円筒状のシリンダ錠と、
前記シリンダ錠が挿入されたシリンダ用貫通孔と、
スタートレバーと、
前記スタートレバーが挿入されたレバー用貫通孔と、
ストップボタンと、
前記ストップボタンが挿入されたボタン用貫通孔と、を有し、
前記シリンダ用貫通孔は、前記合わせ面と直交するように形成されており、
前記レバー用貫通孔は、前記合わせ面と直交するように形成されており、
前記ボタン用貫通孔は、前記合わせ面と直交するように形成されている、ことを特徴とする。